(57)【特許請求の範囲】
【請求項１】
頭部装着構造に取り付けられ、ユーザーが前記頭部装着構造を頭部に装着した場合、前記ユーザーに仮想画像を提示する光学結像構造と、
前記ユーザーの頸部に装着可能であり、前記仮想画像を取得し、前記光学結像構造に提供して提示する頸部装着構造と、を含む表示装置であって、
前記頸部装着構造は、メイン処理モジュールを含み、前記メイン処理モジュールは、前記仮想画像を取得して、前記光学結像構造に提供し、
前記表示装置は、前記光学結像構造又は前記頭部装着構造に内蔵されるとともに、前記メイン処理モジュールが前記光学結像構造に前記仮想画像を提供することを停止した場合、前記光学結像構造に基礎仮想画像を提供する補助処理モジュールをさらに含み、
前記基礎仮想画像の取得難度は、前記仮想画像より低い、
ことを特徴とする表示装置。
【請求項２】
前記光学結像構造が前記頭部装着構造に着脱可能に取り付けられ、
又は、前記光学結像構造と前記頭部装着構造とが一体化構造である、
ことを特徴とする請求項１に記載の表示装置。
【請求項３】
前記表示装置は、前記光学結像構造及び前記頸部装着構造にそれぞれ接続されて、前記頸部装着構造によって取得された前記仮想画像を前記光学結像構造に伝送するデータ接続線をさらに含む、
ことを特徴とする請求項１に記載の表示装置。
【請求項４】
前記データ接続線の第１端が前記光学結像構造に接続され、第２端が前記頸部装着構造に接続され、前記ユーザーが前記表示装置を装着している場合、前記第１端は、前記ユーザーの後頭部に位置又は接近し、前記第２端は、前記ユーザーの後頸部に位置又は接近する、
ことを特徴とする請求項３に記載の表示装置。
【請求項５】
前記頭部装着構造は、メガネフレームであり、前記メガネフレームには、一端が前記光学結像構造に接続されるとともに、他端が前記メガネフレームの少なくとも一つのテンプルの端部から前記データ接続線の第１端に接続される伝送線路が内蔵される、
ことを特徴とする請求項４に記載の表示装置。
【請求項６】
前記光学結像構造は、第１の無線通信モジュールを含み、前記頸部装着構造は、第２の無線通信モジュールを含み、前記第１の無線通信モジュールは、前記第２の無線通信モジュールとの無線通信接続を確立可能であり、前記光学結像構造は、前記無線通信接続により、前記頸部装着構造によって取得された前記仮想画像を取得可能である、
ことを特徴とする請求項１に記載の表示装置。
【請求項７】
前記表示装置は、前記頸部装着構造内の主電源モジュールが前記光学結像構造に給電するように、前記主電源モジュール及び前記光学結像構造にそれぞれ接続される電源接続線をさらに含む、
ことを特徴とする請求項１に記載の表示装置。
【請求項８】
前記表示装置は、前記光学結像構造又は前記頭部装着構造に内蔵されるとともに、前記主電源モジュールが前記光学結像構造への給電を停止した場合、前記光学結像構造に給電する補助電源モジュールをさらに含む、
ことを特徴とする請求項７に記載の表示装置。
【請求項９】
前記主電源モジュールは、さらに、前記電源接続線を介して前記補助電源モジュールに給電する、
ことを特徴とする請求項８に記載の表示装置。
【請求項１０】
前記頸部装着構造が、Ｕ形であり、前記ユーザーの頸部に装着された場合、Ｕ形構造の底部が、前記ユーザーの後頸部に位置し、Ｕ形構造の二つの端部と開口とが前記ユーザーの胸元に位置する、
ことを特徴とする請求項１に記載の表示装置。
【請求項１１】
前記頸部装着構造の少なくとも一つの端部には、操作応答領域が設けられ、前記操作応答領域は、前記ユーザーのトリガー操作に応答して、対応する操作機能を実現する、
ことを特徴とする請求項１０に記載の表示装置。
【請求項１２】
前記操作応答領域には、ボタン、つまみ及びタッチパネルのうち少なくとも一つが設けられて、前記ユーザーのトリガー操作を感知する、
ことを特徴とする請求項１１に記載の表示装置。
【請求項１３】
前記頸部装着構造の形状が人体頸部曲線に合う、
ことを特徴とする請求項１に記載の表示装置。
【請求項１４】
前記頸部装着構造の形状が可変であり、装着された場合、前記ユーザーの頸部曲線に自動的に合わせる、
ことを特徴とする請求項１に記載の表示装置。
【請求項１５】
前記頸部装着構造は、
装着された場合、前記ユーザーの後頸部に位置する後頸アセンブリと、
装着された場合、前記ユーザーの一側の胸元に位置する第１の前部アセンブリと、
装着された場合、前記ユーザーの他側の胸元に位置する第２の前部アセンブリと、
前記後頸アセンブリと前記第１の前部アセンブリとの間に接続され、装着された場合、前記ユーザーの一側の頸部曲線に自動的に合わせる可能である第１の変形可能なアセンブリと、
前記後頸アセンブリと前記第２の前部アセンブリとの間に接続され、装着された場合、前記ユーザーの他側の頸部曲線に自動的に合わせる可能である第２の変形可能なアセンブリと、を含む、
ことを特徴とする請求項１に記載の表示装置。
【請求項１６】
前記表示装置は、前記頸部装着構造が場面内容に合った前記仮想画像を取得するように、前記ユーザーが閲覧している前記場面内容を感知して、前記頸部装着構造に送信する場面感知モジュールをさらに含む、
ことを特徴とする請求項１に記載の表示装置。
【請求項１７】
前記表示装置は、前記頸部装着構造が対応する処理操作を実施するように、前記ユーザーによって出された命令を採取し、前記頸部装着構造に送信する命令採取モジュールをさらに含む、
ことを特徴とする請求項１に記載の表示装置。
【請求項１８】
前記頸部装着構造には、スピーカーが設けられ、前記スピーカーにより前記ユーザーにオーディオを再生し、
又は、前記頸部装着構造には、イヤホンジャックが設けられ、前記イヤホンジャックに挿入されるイヤホンにより前記ユーザーにオーディオを再生し、
又は、前記頸部装着構造には、無線通信モジュールが内蔵され、前記無線通信モジュールは、無線イヤホンに接続可能であり、前記無線イヤホンにより前記ユーザーにオーディオを再生する、
ことを特徴とする請求項１に記載の表示装置。
【請求項１９】
前記表示装置は、前記頭部装着構造をさらに含む、
ことを特徴とする請求項１に記載の表示装置。
【請求項２０】
前記頭部装着構造に、装飾レンズ、視力矯正レンズ又は所定の特性を有する光学レンズのうち少なくとも一つが交換可能に取り付けられる、
ことを特徴とする請求項１９に記載の表示装置。
【請求項２１】
前記表示装置は拡張現実表示装置である、
ことを特徴とする請求項１に記載の表示装置。
【発明の詳細な説明】
【技術分野】
【０００１】
本開示は、画像表示技術分野に関し、特に表示装置に関する。
【背景技術】
【０００２】
表示装置は、ユーザーに表示内容を提示することにより、対応する情報伝達、情報インタラクションなどの機能を実現する。従来の表示装置は、通常、テレビやコンピューターなどを含む。モバイル技術の不断の発展に伴って、表示装置は、体積が小さく、軽重量のモバイル端末、例えば、携帯電話、タブレットなどの携帯型手持ち装置に次第に発展してきている。
【０００３】
現在、モバイル端末の範囲は、さらに広がり、既に手持ち装置からユーザーの体に装着可能なウェアラブルデバイス（又は、「装着可能なデバイス」と呼ぶ）に変わっている。例えば、ウェアラブルデバイスは、メガネ型端末、ヘルメット型端末などを含むことができ、ユーザーの頭部に装着可能である。
【０００４】
しかしながら、ウェアラブルデバイスの重量が比較的大きい場合、ユーザーが装着した後、重心不安定が起こりやすく、また、短時間の装着でもユーザーの不快感を引き起こす恐れがあり、ウェアラブルデバイスの使用上で不利である。
【発明の概要】
【発明が解決しようとする課題】
【０００５】
本開示は、関連技術における不足を解決するために、表示装置を提供する。
【課題を解決するための手段】
【０００６】
本開示の実施例によれば、頭部装着構造に取り付けられ、ユーザーが前記頭部装着構造を頭部に装着した場合、前記ユーザーに仮想画像を提示する光学結像構造と、前記ユーザーの頸部に装着可能であり、前記仮想画像を取得し、前記光学結像構造に提供して提示する頸部装着構造と、を含む表示装置を提供する。
【０００７】
好ましくは、前記光学結像構造が前記頭部装着構造に着脱可能に取り付けられ、又は、前記光学結像構造と前記頭部装着構造とが一体化構造である。
【０００８】
好ましくは、前記表示装置は、前記光学結像構造及び前記頸部装着構造にそれぞれ接続されて、前記頸部装着構造によって取得された前記仮想画像を前記光学結像構造に伝送するデータ接続線をさらに含む。
【０００９】
好ましくは、前記データ接続線は、第１端が前記光学結像構造に接続され、第２端が前記頸部装着構造に接続され、前記ユーザーが前記表示装置を装着している場合、前記第１端は、前記ユーザーの後頭部に位置又は接近し、前記第２端は、前記ユーザーの後頸部に位置又は接近する。
【００１０】
好ましくは、前記頭部装着構造は、メガネフレームであり、前記メガネフレームには、一端が前記光学結像構造に接続されるとともに、他端が前記メガネフレームの少なくとも一つのテンプルの端部から前記データ接続線の第１端に接続される伝送線路が内蔵される。
【００１１】
好ましくは、前記光学結像構造は、第１の無線通信モジュールを含み、前記頸部装着構造は、第２の無線通信モジュールを含み、前記第１の無線通信モジュールは、前記第２の無線通信モジュールとの無線通信接続を確立可能であり、前記光学結像構造は、前記無線通信接続により、前記頸部装着構造によって取得された前記仮想画像を取得可能である。
【００１２】
好ましくは、前記表示装置は、前記頸部装着構造内の主電源モジュールが前記光学結像構造に給電するように、前記主電源モジュール及び前記光学結像構造にそれぞれ接続される電源接続線をさらに含む。
【００１３】
好ましくは、前記表示装置は、前記光学結像構造又は前記頭部装着構造に内蔵されるとともに、前記主電源モジュールが前記光学結像モジュールへの給電を停止した場合、前記光学結像構造に給電する補助電源モジュールをさらに含む。
【００１４】
好ましくは、前記主電源モジュールは、さらに、前記電源接続線を介して前記補助電源モジュールに給電する。
【００１５】
好ましくは、前記頸部装着構造は、メイン処理モジュールを含み、前記メイン処理モジュールは、前記仮想画像を取得して、前記光学結像構造に提供し、前記表示装置は、前記光学結像構造又は前記頭部装着構造に内蔵されるとともに、前記メイン処理モジュールが前記光学結像構造に前記仮想画像を提供することを停止した場合、前記光学結像構造に基礎仮想画像を提供する補助処理モジュールをさらに含み、前記基礎仮想画像の取得難度は、前記仮想画像より低い。
【００１６】
好ましくは、前記頸部装着構造が、Ｕ形であり、前記ユーザーの頸部に装着された場合、Ｕ形構造の底部が、前記ユーザーの後頸部に位置し、Ｕ形構造の二つの端部と開口とが前記ユーザーの胸元に位置する。
【００１７】
好ましくは、前記頸部装着構造の少なくとも一つの端部には、操作応答領域が設けられ、前記操作応答領域は、前記ユーザーのトリガー操作に応答して、対応する操作機能を実現する。
【００１８】
好ましくは、前記操作応答領域には、ボタン、つまみ及びタッチパネルのうち少なくとも一つが設けられて、前記ユーザーのトリガー操作を感知する。
【００１９】
好ましくは、前記頸部装着構造の形状が人体頸部曲線に合う。
【００２０】
好ましくは、前記頸部装着構造の形状が可変であり、装着された場合、前記ユーザーの頸部曲線に自動的に合わせる。
【００２１】
好ましくは、前記頸部装着構造は、装着された場合、前記ユーザーの後頸部に位置する後頸アセンブリと、装着された場合、前記ユーザーの一側の胸元に位置する第１の前部アセンブリと、装着された場合、前記ユーザーの他側の胸元に位置する第２の前部アセンブリと、前記後頸アセンブリと前記第１の前部アセンブリとの間に接続され、装着された場合、前記ユーザーの一側の頸部曲線に自動的に合わせる可能である第１の変形可能なアセンブリと、前記後頸アセンブリと前記第２の前部アセンブリとの間に接続され、装着された場合、前記ユーザーの他側の頸部曲線に自動的に合わせる可能である第２の変形可能なアセンブリと、を含む。
【００２２】
好ましくは、前記表示装置は、前記頸部装着構造が前記場面内容に合った前記仮想画像を取得するように、前記ユーザーが閲覧している場面内容を感知して、前記頸部装着構造に送信する場面感知モジュールをさらに含む。
【００２３】
好ましくは、前記表示装置は、前記頸部装着構造が対応する処理操作を実施するように、前記ユーザーによって出された命令を採取し、前記頸部装着構造に送信する命令採取モジュールをさらに含む。
【００２４】
好ましくは、前記頸部装着構造には、スピーカーが設けられ、前記スピーカーにより前記ユーザーにオーディオを再生し、又は、前記頸部装着構造には、イヤホンジャックが設けられ、前記イヤホンジャックに挿入されるイヤホンにより前記ユーザーにオーディオを再生し、又は、前記頸部装着構造には、無線通信モジュールが内蔵され、前記無線通信モジュールは、無線イヤホンに接続可能であり、前記無線イヤホンにより前記ユーザーにオーディオを再生する。
【００２５】
好ましくは、前記表示装置、前記頭部装着構造をさらに含む。
【００２６】
好ましくは、前記頭部装着構造に、装飾レンズ、視力矯正レンズ又は所定の特性を有する光学レンズのうち少なくとも一つが交換可能に取り付けられる。
【００２７】
好ましくは、前記表示装置は、拡張現実表示装置である。
【００２８】
なお、以上の一般的な説明及び以下の詳細な説明は、単に例示及び解釈するためのものであり、本開示を限定するものではない。
【図面の簡単な説明】
【００２９】
ここの図面は、本明細書に組み込まれて本明細書の一部を構成し、本開示に適する実施例を示しており、明細書と共に、本開示の原理を説明するために用いられる。
【図１】例示的な一実施例により示される表示装置の概略構造図である。
【図２】例示的な一実施例により示されるユーザーが表示装置を装着する概略図である。
【図３】例示的な一実施例により示される一体化された光学結像構造と頭部装着構造の概略構造図である。
【図４】例示的な一実施例により示される他の表示装置の概略構造図である。
【図５】例示的な一実施例により示される頸部装着構造の概略図である。
【図６】例示的な一実施例により示されるさらに他の表示装置の概略構造図である。
【図７】例示的な一実施例により示される着脱可能な構造の表示装置の概略構造図である。
【発明を実施するための形態】
【００３０】
ここで例示的な実施例を詳細に説明し、その例が図面に示される。以下の説明が図面に係る場合、他の示しがない限り、異なる図面における同一の数字が、同一又は類似の要素を示す。以下の例示的な実施例に記載される実施形態は、本出願と一致する全ての実施形態を表すものではない。むしろそれらは、単に特許請求の範囲に詳述されている、本開示の一部の側面と一致する装置及び方法の例である。
【００３１】
本出願で使用される用語は、単に特定の実施例を説明することを目的とし、本出願を制限するものではない。文脈で明白に他の意味が示されない限り、本出願及び特許請求の範囲に使用される単数形の「一種」、「前記」及び「当該」は、複数形も含むことを意味する。なお、本文で使用される用語“及び/又は”とは、一つ又は複数の関連の列挙項目の任意又はあらゆる可能な組み合わせを指す。
【００３２】
なお、本出願において「第１」、「第２」、「第３」などの用語を採用して各種情報を説明するが、これらの情報は、これらの用語に限定されるべきではない。これらの用語は、単に同一タイプの情報を互いに区別するためのものである。例えば、本出願の範囲を逸脱しない限り、第１の情報は、第２の情報と呼ばれてもよいし、同様に、第２の情報も第１の情報と呼ばれてもよい。文脈によって決定され、例えば、ここで使用される単語「場合」は、 「のときに」、「の際に」又は「決定に応じる」と解釈されてもよい。
【００３３】
図１は、例示的な一実施例により示される表示装置の概略構造図であり、図２は、例示的な一実施例により示されるユーザーが表示装置を装着する概略図である。図１〜２に示すように、当該表示装置１は、光学結像構造１１と、頸部装着構造１２とを含んでもよい。本開示の表示装置１１は、スプリット型構造を採用し、光学結像構造１１が頭部装着構造１３に取り付けられ、これにより、ユーザーが当該頭部装着構造１３を頭部に装着する場合、光学結像構造１１は、ユーザーに放送コンテンツを提示することができ、頸部装着構造１２は、ユーザーの頸部に装着可能である。従って、ユーザーが本開示の表示装置１を装着する場合、一部の重量が頸部装着構造１２によりユーザーの頸部に分担され、ユーザーの頭部にかかる荷重が減少し、ユーザーに明らかな上方への重心移動が生じず、移動する際に、めまいすることが回避される一方、長時間装着しても疲労感及び不快感が生じにくい。
【００３４】
一実施例において、光学結像構造１１と頸部装着構造１２との間に、有線接続方式が採用され、例えば、図１〜２に示す接続線１４により接続が実現される。フレキシブル材料からなる接続線１４を採用することにより、ユーザーの頭部又は頸部の動きに合わせることができるとともに、表示装置１の収納にも有利である。ここで、接続線１４は、一つ又は複数の用途を有してもよく、例えば、接続線１４は、光学結像構造１１と頸部装着構造１２との間のデータ接続線として用いることができ、頸部装着構造１１が仮想画像を取得した後、当該接続線１４を介して光学結像構造１１に伝送して、光学結像構造１１によりユーザーに提示することができる。さらに、例えば、接続線１４は、光学結像構造１１と頸部装着構造１２との間の電源接続線として用いることができ、頸部装着構造１２には、主電源モジュールが内蔵され、接続線１４は、当該主電源モジュールと、光学結像構造１１とにそれぞれ接続することができ、これにより、当該主電源モジュールは、接続線１４を介して光学結像構造１１に給電することができる。他の実施例において、接続線１４を採用してデータ伝送及び電力伝送を同時に実現するのではなく、データ接続線と電源接続線とを互いに分けてもよい。本開示は、これについて限定しない。
【００３５】
一実施例において、図１〜２に示す光学結像構造１１と頭部装着構造１３とは一体的な構造を採用することにより、光学結像構造１１と頭部装着構造１３とがある程度での結合又は統合を実現し、さらに一体化された構造及び外観を実現することができる。例えば、図３は、例示的な一実施例により示される一体化された光学結像構造と頭部装着構造の概略構造図である。図３に示すように、頭部装着構造がメガネフレームであると仮定し、例えば、当該メガネフレームは、レンズ取付部１３１と、第１のテンプル１３２と、第２のテンプル１３３と、を含む。メガネフレームには、伝送線路１１０が内蔵され、光学結像構造１１がレンズ取付部１３１に取り付けられた場合、当該伝送線路１１０は、レンズ取付部１３１から第１のテンプル１３２の端部まで延びて、上記接続線１４の第１端１４１に接続されるようになり、当該接続線１４の第２端１４２は、頸部装着構造１２に接続され、例えば、図１において、当該第２端１４２は、頸部装着構造１２の中間点に接続される。
【００３６】
接続線１４の第１端１４１が第１のテンプル１３２の端部に接続され、第２端１４２が、頸部装着構造１２の中間点に接続されることにより、ユーザーが当該表示装置１を装着した場合、第１端１４１は、ユーザーの後頭部に位置又は接近するようになり、第２端１４２は、ユーザーの後頸部に位置又は接近するようになり、第１端１４１がユーザーの後頭部から離れ、又は第２端１４２がユーザーの後頸部から離れることと比べ、接続線１４の長さが一定である場合、当該接続線１４によるユーザーの頭部、頸部の動きへの制限を大幅に低減し、当該接続線１４によるユーザーの動きへの牽制又は制限などの良くない感覚を減少又は解消することができる。
【００３７】
一部の実施例において、接続線１４の第１端１４１は、必ずしも第１のテンプル１３２の端部に接続されるとは限らず、第２端１４２も、必ずしも頸部装着構造１２の中間点に接続されるとは限らず、本開示は、これについて限定しない。実際には、他の接続方式により、依然として第１端１４１をユーザーの後頭部に位置又は接近させ、第２端１４２をユーザーの後頸部に位置又は接近させることができ、ユーザーの装着体験及び使用感覚を改善する。
【００３８】
接続線１４により有線接続が実現されるほか、光学結像構造１１と頸部装着構造１２とは、無線方式を採用して接続を実現することもできる。例えば、図４は、例示的な一実施例により示される他の表示装置の概略構造図である。図４に示すように、光学結像構造１１は、第１の無線通信モジュール１１０を含むことができ、頸部装着構造１２は、第２の無線通信モジュール１２０を含むことができ、当該第１の無線通信モジュール１１０は、第２の無線通信モジュール１２０との無線通信接続を確立可能であり、光学結像構造１１は、当該無線通信接続により、頸部装着構造１２によって取得された仮想画像を取得可能である。光学結像構造１１と頭部装着構造１３とが一体化構造を採用する場合、第１の無線通信モジュール１１０は、頭部装着構造１３内に取り付けるとともに、光学結像構造１１に接続することができる。他の場合、他の形式を採用してもよく、本開示は、これについて限定しない。同様に、無線方式により、頸部装着構造１２から光学結像構造１１への給電を実現することもでき、例えば、頸部装着構造１２には、無線電力送信端を内蔵することができ、光学結像構造１１には、無線電力受信端を内蔵することができ、これにより、頸部装着構造１２は、光学結像構造１１へ無線給電することができる。
【００３９】
当然のことながら、データ伝送と電力伝送とは、必然的な関連が存在せず、二つの互いに独立することとするべき、ただ一部の場合において同時に処理することができる。例えば、図１〜２に示す実施例において、有線接続方式を採用するため、接続線１４により、データ及び電力の伝送を同時に実現することができる。さらに、例えば、図４に示す実施例において、無線接続方式を採用するため、無線形式のデータ伝送及び電力伝送を同時に採用することができる。他の実施例において、例えば、データ伝送が有線伝送方式を採用する場合、電力は、無線電力伝送を採用することができ、すなわち、接続線１４は、単にデータ接続線として用いられ、又はデータ伝送が無線伝送方式を採用する場合、電力は、有線電力伝送を採用することができ、すなわち、接続線１４は、単に電力伝送などのために用いられる。
【００４０】
一実施例において、頸部装着構造１２の形状は、固定され変化できず、頸部装着構造１２の形状は、人体頸部の曲線に合うように構成することができ、これにより、頸部装着構造１２は、ユーザーの肩、頸部、胸などの部位に圧迫感又は他の不快感をもたらすことはなく、頸部装着構造１２のユーザー装着体験を向上させ、頸部装着構造１２による不快感を低減させることができる。例えば、あらかじめ何人かのユーザーの頸部サンプルデータを調査し採取し、当該頸部サンプルデータを統計分析して、一部又は大部分のユーザーに合う人体頸部曲線を取得し、これに基づいて頸部装着構造１２の形状を合理的に構成し、これにより、頸部装着構造１２が一部又は大部分のユーザーの頸部状况に合うことができる。当然のことながら、異なる年齢層、異なる性別、異なる人種などによって人体の構造上の差異をもたらすため、あらかじめ複数タイプのグループを分割し、それぞれ各タイプのグループに対して頸部サンプルデータを採取し、対応する人体頸部曲線を分析して、各タイプのグループのそれぞれに対して対応する頸部装着構造１２を構成することにより、ユーザーが自身の実際の状況に応じて選択して使用することができる。
【００４１】
一実施例において、頸部装着構造１２の形状は、可変であり、ユーザーが当該頸部装着構造１２を頸部後に装着し、当該頸部装着構造１２は、ユーザーの頸部曲線に自動的に合うようになり、これにより、すべてのユーザーに対して同じ頸部装着構造１２を提供することができ、いずれも当該頸部装着構造１２がユーザーの頸部曲線に合って沿うことを確保することができる。頸部装着構造１２は、内部の回路基板、チップ、線路などの機能アセンブリ及び外部の被覆アセンブリを含むことができる。現在の製作プロセスの条件で、頸部装着構造１２のすべての構成部分がフレキシブル材料を採用するのが難しいので、上記実施例を適当に改善してもよい。
【００４２】
例えば、フレキシブル材料を採用して外部の被覆アセンブリを製作し、内部の機能アセンブリとしての回路基板や線路などは、できるだけフレキシブル材料を採用して製作するが、チップなどのフレキシブル材料を採用して製作することができない硬質構造に対して、すべての硬質構造を集積することを回避することができ、できるだけ異なる硬質構造を空間上で互いに離れさせ、各硬質構造間には、ある程度の相対的変化を形成することができ、頸部装着構造１２の全体がユーザーの頸部曲線に合うようにすることができる。図５は、例示的な一実施例により示される頸部装着構造の概略図である。図５に示すように、頸部装着構造１２は、装着された場合、ユーザーの後頸部に位置する後頸アセンブリ１２Ａと、装着された場合、ユーザーの一側の胸元、例えば、図５において、ユーザーの右側の胸元に位置する第１の前部アセンブリ１２Ｂと、装着された場合、ユーザーの他側の胸元、例えば、図５において、ユーザーの左側の胸元に位置する第２の前部アセンブリ１２Ｃと、後頸アセンブリ１２Ａと第１の前部アセンブリ１２Ｂとの間に接続される第１の変形可能なアセンブリ１２Ｄと、後頸アセンブリ１２Ａと第２の前部アセンブリ１２Ｃとの間に接続される第２の変形可能なアセンブリ１２Ｅと、を含むことができる。
【００４３】
ここで、後頸アセンブリ１２Ａと、第１の前部アセンブリ１２Ｂと、第２の前部アセンブリ１２Ｃとは、フレキシブル材料を採用して製作することができない硬質構造、例えば、チップなどを取り付けるためのものである。第１の変形可能なアセンブリ１２Ｄ及び第２の変形可能なアセンブリ１２Ｅの内部には、硬質構造が配置されず、外部の被覆構造もフレキシブル材料を採用して製作され、第１の変形可能なアセンブリ１２Ｄと、第２の変形可能なアセンブリ１２Ｅとは、それぞれユーザーの頸部曲線に自動的に合わせることができ、これにより、頸部装着構造１２の全体がユーザーの頸部曲線に自動的に合わせて沿うことを実現する。それに応じて、後頸アセンブリ１２Ａ、第１の前部アセンブリ１２Ｂ及び第２の前部アセンブリ１２Ｃの外部の被覆アセンブリは、フレキシブル材料を採用して製作されてもよいし、硬質材料を採用して製作されてもよく、これにより、内部のチップなどを保護し、充分な構造強度を提供し、いずれも本実施例の実現に影響を与えない。
【００４４】
頸部装着構造１２は、任意の内容に対応する仮想画像を取得し、光学結像構造１１に伝送することができ、当該光学結像構造１１によりユーザーに提示する。頸部装着構造１２は、当該任意の内容に対応する仮想画像を作成し、又は頸部装着構造１２は、レンダリングにより得られた画像データ（例えば、ローカルストレージスペースから読み出し、クラウドストレージスペースから読み出し、ローカルからアクセスした外部記憶装置から読み出しなど）をダウンロードすることにより、当該仮想画像を取得することができるし、又は頸部装着構造１２は、他の方式により当該仮想画像を取得することもでき、本開示は、これについて限定しない。一実施例において、表示装置１は、場面感知モジュールを含むことができ、当該場面感知モジュールは、ユーザーが閲覧する場面内容を感知し、頸部装着構造１２に送信し、頸部装着構造１２が当該場面内容に合う仮想画像を取得し、当該場面内容に対して対応する拡張現実機能を実現する。表示装置１は、この場合、拡張現実装置と見なすことができ、当然のことながら、本開示は、これについて限定しない。例えば、図１〜２に示す実施例において、光学結像構造１１又は頭部装着構造１３には、カメラ１５が取り付けられてもよく、当該カメラ１５は、ユーザーの眼の近傍に位置し、ユーザーが閲覧する場面内容を採取し、上記接続線１４又は無線通信接続を介して頸部装着構造１２に送信することができ、これにより、頸部装着構造１２は、対応する仮想画像を取得することができ、光学結像構造１１によりユーザーに提示する。他の実施例において、場面感知モジュールは、他の構造を採用してもよく、本開示は、これについて限定しない。例えば、当該場面感知モジュールは、位置決定チップと、ジャイロスコープと、を含むことができ、位置決定チップによりユーザーの位置する地理的位置を決定することができ、さらに、ジャイロスコープによりユーザーの頭部の向きを決定して、ユーザーが閲覧する場面内容を決定する。
【００４５】
一実施例において、表示装置１は、命令採取モジュールを含むことができ、当該命令採取モジュールは、頸部装着構造１２を対応する処理操作を実施させるように、ユーザーによって出された命令を採取し、頸部装着構造１２に送信するためのものである。例えば、当該命令採取モジュールは、光学結像構造１１、頸部装着構造１２又は頭部装着構造１３に取り付けられるマイクロフォンなどの収音器を含むことができ、当該収音器により、ユーザーが出した、例えば、スイッチ制御、音量調節、仮想画像の内容調整、仮想画像のスケーリング調節などの音声形式の命令を採取して頸部装着構造１２を制御することができ、本開示は、これについて限定しない。他の実施例において、命令採取モジュールは、他の構造を採用してもよく、本開示は、これについて限定しない。例えば、当該命令採取モジュールは、図１〜２に示すカメラ１５を含むことができ、当該カメラ１５によりユーザーのジェスチャー動作を採取し、当該ジェスチャー動作に基づいて、対応する命令を認識して、頸部装着構造１２の制御を実現することができる。
【００４６】
一実施例において、頸部装着構造１２は、操作応答領域を含むことができ、当該操作応答領域は、ユーザーのトリガー操作に応答して、対応する操作機能を実現し、例えば、当該操作機能は、スイッチ制御、音量調節、仮想画像の内容調整、仮想画像のスケーリング調節などを含む。本開示は、これについて限定しない。例えば、図１〜２に示すように、頸部装着構造１２は、Ｕ形であってもよく、ユーザーの頸部に装着された場合、Ｕ形構造の底部がユーザーの後頸部に位置し、Ｕ形構造の二つの端部及び開口がユーザーの胸元に位置するため、ユーザーの操作を便利にするために、操作応答領域は、頸部装着構造１２の少なくとも一つの端部に設置することができ、例えば、図１〜２において、頸部装着構造１２の左側の端部に位置する。操作応答領域に、一つ又は複数のトリガーコントローラを設置することができ、例えば、図１〜２において、スイッチボタン１２１、音量アップボタン１２２、音量ダウンボタン１２３などが設けられ、当然のことながら、ボタンのほか、つまみ、タッチパネルなど他のタイプのトリガーコントローラを採用することもでき、いずれもユーザーのトリガー操作を感知するために用いることができ、本開示は、これについて限定しない。
【００４７】
上述した音量調節は、頸部装着構造１２に内蔵されるオーディオ再生モジュールに対応し、オーディオの再生を実現するために用いることができる。一実施例において、頸部装着構造１２には、スピーカーが設けられ、スピーカーによりユーザーにオーディオを再生する。他の一実施例において、頸部装着構造１２には、イヤホンジャックが設けられ、当該イヤホンジャックに挿入されるイヤホンによりユーザーにオーディオを再生する。さらに他の一実施例において、頸部装着構造１２には、無線通信モジュールが内蔵され、当該無線通信モジュールは、無線イヤホンに接続されて、当該無線イヤホンによりユーザーにオーディオを再生することができ。頸部装着構造１２は、上記いずれか一つ又は複数のオーディオ再生方式をサポートすることができ、本開示は、これについて限定しない。
【００４８】
一実施例において、例えば、図１〜４に示す表示装置１は、頭部装着構造１３が特定の機能を有するレンズ１６を含むことができ、当該レンズ１６は、光学結像構造１１のユーザーから離れた側に位置し、光学結像構造１１が当該レンズ１６とユーザーの顔面部との間に位置する。例えば、レンズ１６は、装飾レンズであってもよく、光学結像構造１１を遮蔽して、美観性を向上させる。さらに、例えば、レンズ１６は、例えば、近視レンズ又は遠視レンズなどの視力矯正レンズであり、ユーザーの視力矯正のニーズを満たす。また、例えば、レンズ１６は、例えば、紫外線の除去などの所定の特性を有する光学レンズを含むことができ、本開示は、当該所定の特性のタイプを限定しない。ユーザーの異なる場面でのニーズを満たすために、レンズ１６は、着脱可能な構造に設計することができ、これにより、ユーザーが異なる場面に対して取り替えやすくなる。
【００４９】
一実施例において、光学結像構造１１の作動は、完全に頸部装着構造１２に頼っており、電力、仮想画像などを含めて、いずれも頸部装着構造１２により光学結像構造１１に提供する。すると、光学結像構造１１と頸部装着構造１２との接続が切断され、又は頸部装着構造１２が、電力量切れなどの原因によって正常に作動できなくなった場合、光学結像構造１１も正常に作動できなくなる。他の一実施例において、通常な場合、光学結像構造１１が頸部装着構造１２に頼って作動し、特別な場合、ある程度で独立して作動することを実現することができ、これにより、少なくともユーザーの一部の使用ニーズを満たす。
【００５０】
例えば、図６は、例示的な一実施例により示されるさらに他の表示装置の概略構造図である。給電の観点から言うと、図６に示すように、頸部装着構造１２には、通常な場合、光学結像構造１１に給電するための主電源モジュール１２４が内蔵され、光学結像構造１１又は頭部装着構造１３には、補助電源モジュール１７が取り付けられ、主電源モジュール１２４が光学結像モジュール１１への給電を停止する場合、当該補助電源モジュール１７により光学結像構造１１に給電することができる。通常な場合、主電源モジュール１２４は、光学結像構造１１に直接に給電することができるとともに、補助電源モジュール１７を充電して、当該補助電源モジュール１７により光学結像構造１１に給電することもでき、本開示は、これについて限定しない。
【００５１】
データ処理の観点から言うと、図６に示すように、頸部装着構造１２には、メイン処理モジュール１２５が内蔵され、当該メイン処理モジュール１２５は、上記仮想画像を取得して、光学結像構造１１に提供するためのものであり、表示装置１１は、補助処理モジュール１８を含むことができ、当該補助処理モジュール１８は、光学結像構造１１又は頭部装着構造１３に内蔵することができ、メイン処理モジュール１２５が光学結像構造１１に仮想画像を提供することを停止した場合、当該補助処理モジュール１８により基礎仮想画像を取得し、光学結像構造１１に提供して提示する。ここで、補助処理モジュール１８の処理性能は、メイン処理モジュール１２５より低い又は遙かに低いため、基礎仮想画像の取得難度は、仮想画像より低いはず、補助処理モジュール１８は、当該基礎仮想画像を流暢に提供することができる。
【００５２】
補助処理モジュール１８の処理性能が比較的低いため、補助処理モジュール１８の電力消費量が比較的小さく、そこで、補助電源モジュール１７の電力量が比較的少なくとても、依然として、補助処理モジュール１８の使用ニーズを満たすことができる。そのため、補助電源モジュール１７及び補助処理モジュール１８がユーザーの頭部に過多な荷重を増やすことを回避することができるのみならず、光学結像構造１１に頸部装着構造１２から独立して使用する一定の能力を取得させることもでき、ユーザーの装着快適さと機能拡張との間の比較的よいバランスを実現する。
【００５３】
図７は、例示的な一実施例により示される着脱可能構造の表示装置の概略構造図である。図７に示すように、当該表示装置１は、光学結像構造１１と、頸部装着構造１２と、を含み、光学結像構造１１が頭部装着構造１３に取り付けられる。光学結像構造１１と頭部装着構造１３とは、互いに独立しており、すなわち、ユーザーは、実際のニーズに応じて、光学結像構造１１に合わせて組み立てられた頭部装着構造１３を交換することができ、例えば、ユーザーは、光学結像構造１１をそれぞれ自身が使用している複数の頭部装着構造に組み立てることができ、当該光学結像構造１１を他のユーザーと共有して他のユーザーの頭部装着構造に組み立てるたこともできる。
【００５４】
図１に示す一体化構造の表示装置１において、光学結像構造１１は、両眼表示構造として示されるが、図７に示すスプリット型構造の表示装置１において、光学結像構造１１は、単眼表示構造として示される。しかし、これは単なる例示するものであり、実際には、両眼表示構造がスプリット型構造の表示装置１にも適用することができ、単眼表示構造が一体化構造の表示装置１にも適用することができ、本開示は、これについて限定しない。
【００５５】
本開示の技術案において、光学結像構造１１は、関連技術における任意のタイプの結像構造を採用することができ、ユーザーに上記仮想画像を提示することができればよく、本開示は、これについて限定しない。例えば、光学結像構造１１は、投影原理を採用し、仮想画像を図１に示すレンズ１６（図７に示す実施例において、レンズを取り付けてもよい）に投影して、ユーザーに閲覧させることができる。さらに、例えば、光学結像構造１１は、プリズム光学原理を採用し、仮想画像をプリズムによりユーザーの眼部に反射することができる。また、例えば、光学結像構造１１は、光導波路及びホログラフィック技術を採用することができ、仮想画像がコリメータレンズを通過した後、平行光に変換され、当該平行光が平板状導波路に垂直に入射した後、第１のホログラフィックグレーティングへ射出し、第１のホログラフィックグレーティングの回折作用で、導波路に沿って第２のホログラフィックグレーティングへの全反射伝播を実現し、第２のホログラフィックグレーティングにより光線がユーザーの眼部に平行に射出される。さらに、例えば、光学結像構造１１は、ライトフィールド技術を採用し、光ファイバー・プロジェクター（Ｆｉｂｅｒ Ｏｐｔｉｃ Ｐｒｏｊｅｃｔｏｒ）により仮想画像の光線をユーザーの網膜に直接に投影することができる。また、他の技術を採用してもよく、いずれも本開示の光学結像構造１１に適用することができ、ここでは、一々列挙しない。
【００５６】
当業者は、明細書を考慮して、またここに開示された開示を実践した後、本開示の他の実施案を容易に想到することができる。本出願は、本開示のあらゆる変形、用途、又は適応的な変更をカバーすることを主旨とし、これらの変形、用途、又は適応的な変更は、本開示の一般的原理に従うものであり、しかも、本開示で開示されていない当分野における公知知識又は慣用技術手段を含む。明細書及び実施例は、単に例示するものであり、本開示の本当の範囲及び主旨は、以下の特許請求の範囲によって示される。
【００５７】
なお、本開示は、上記説明に記載され、図面に示されている厳密な構成に限定されず、その範囲から逸脱しない限り、様々な修正及び変更を行うことができる。本開示の範囲は、添付の特許請求の範囲のみによって限定される。
【図１】
0006808751.tif 000002
【図２】
0006808751.tif 000003
【図３】
0006808751.tif 000004
【図４】
0006808751.tif 000005
【図５】
0006808751.tif 000006
【図６】
0006808751.tif 000007
【図７】
0006808751.tif 000008